【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
下記構造：
【化１】
2013504681.tif 000001
〔式中、
ｉ）Ａｒは、
【化２】
2013504681.tif 000002
（式中、Ｒ１、Ｒ２、Ｒ３及びＲ４は、それぞれ独立して、Ｈ、Ｆ又は炭素原子数１ないし６のアルキル基を表す）を表し；
ｉｉ）Ｘ、Ｙ、Ｚは、それぞれ独立して、直接結合、Ｏ、Ｓ、
【化３】
2013504681.tif 000003
、ＳＯ２を表し、
ｉｉｉ）Ａは、構造Ｏ、Ｓ、ＳＯ２、−ＮＨ−、−Ｎ（ＣＨ２）ｎ（式中、ｎは１ないし１０である）、
【化４】
2013504681.tif 000004
（式中、Ｒ５、Ｒ６、Ｒ７及びＲ８は、それぞれ独立して、−Ｈ、−ＮＨ２、Ｆ、Ｃｌ、Ｂｒ、ＣＮ、又は炭素原子数１ないし６のアルキル基、又はそれらのいずれの組み合わせをも表す）を有するスペーサーを表し；
ｉｖ）Ｇは、下記構造：
【化５】
2013504681.tif 000005
（式中、Ｒ９、Ｒ１０、Ｒ１１、Ｒ１２、又はＲ１３のうちの少なくとも１つが水素原子を表すとともに、水素原子でない基は、それぞれ独立して、窒素原子、酸素原子、硫黄原子、若しくは、フッ素原子、臭素原子、塩素原子及びヨウ素原子から成る群より選択されるハライドを有する非環式ヘテロ原子基を表す）を有する〕
を有するポリマー核を有する固形アニオン交換ポリマー電解質。
【請求項２】
Ａｒはパーフルオロ化フェニル部分を表す、請求項１に記載の固形アニオン交換ポリマー電解質。
【請求項３】
Ｘ、Ｙ及びＺはＳＯ２を表す、請求項１に記載の固形アニオン交換ポリマー電解質。
【請求項４】
Ｒ５、Ｒ６、Ｒ７及びＲ８はＨを表す、請求項１に記載の固形アニオン交換ポリマー電解質。
【請求項５】
Ｒ９、Ｒ１０、Ｒ１１、Ｒ１２及びＲ１３は水素原子を表す、請求項１に記載の固形アニオン交換ポリマー電解質。
【請求項６】
下記構造：
【化６】
2013504681.tif 000006
｛式中、
ｉ）Ｒ１４、Ｒ１５はＣＦ２を表すか；又は、Ｒ１４がＣＦ２を表すとともにＲ１５がＣＨ２を表すか；又は、Ｒ１４がＣＨ２を表すとともにＲ１５がＣＨＦを表し；及び
ｉｉ）Ｒ１６はＣＨ２又はＣＦ２を表し；
ｉｉｉ）Ｒ１７はＣＨ又はＣＦを表し；
ｉｖ）Ａは、構造Ｏ、Ｓ、ＳＯ２、−ＮＨ−、Ｎ（ＣＨ２）ｎ（式中、ｎは１ないし１０である）、
【化７】
2013504681.tif 000007
（式中、Ｒ５、Ｒ６、Ｒ７及びＲ８は、それぞれ独立して、−Ｈ、−ＮＨ２、Ｆ、Ｃｌ、Ｂｒ、ＣＮ、又は炭素原子数１ないし６のアルキル基、又はそれらのいずれの組み合わせをも表す）を有するスペーサーを表し；
ｖ）Ｇは、下記構造：
【化８】
2013504681.tif 000008
〔式中、Ｒ９、Ｒ１０、Ｒ１１、Ｒ１２、又はＲ１３は、それぞれ独立して、−Ｈ、−ＣＨ３、−ＮＨ２、−ＮＯ、ＨＣ＝Ｏ−、ＣＨ３Ｃ＝Ｏ−、ＮＨ２Ｃ＝Ｏ−、−（ＣＨ２）ｎ−Ｃ（ＮＨ２）−ＣＯＯＨ（式中、ｎは１ないし６である）、−ＣＨ−（ＣＯＯＨ）−ＣＨ２−ＣＯＯＨ、−ＣＨ２−ＣＨ（Ｏ−ＣＨ２ＣＨ３）２、−（Ｃ＝Ｓ）−ＮＨ２、−（Ｃ＝ＮＨ）−Ｎ−（ＣＨ２）ｎＣＨ３（式中、ｎは０ないし６である）、−ＮＨ−（Ｃ＝Ｓ）−ＳＨ、−ＣＨ２−（Ｃ＝Ｏ）−Ｏ−Ｃ（ＣＨ３）３、−Ｏ−（ＣＨ２）ｎ−ＣＨ−（ＮＨ２）−ＣＯＯＨ（式中、ｎは１ないし６である）、−（ＣＨ２）ｎ−ＣＨ＝ＣＨ（式中、ｎは１ないし６である）、−（ＣＨ２）ｎ−ＣＨ−ＣＮ（式中、ｎは１ないし６である）、芳香族基、例えば、フェニル基、ベンジル基、フェノキシ基、メチルベンジル基、窒素原子で置換されたベンジル基若しくはフェニル基、ハライド、若しくはハライドで置換されたメチル基を表す〕を有する｝
を有するポリマー核を有する固形アニオン交換ポリマー電解質。
【請求項７】
Ｒ１４、Ｒ１５及びＲ１６がＣＦ２を表すとともにＲ１７がＣＦを表す、請求項６に記載の固形アニオン交換ポリマー電解質。
【請求項８】
Ｒ５、Ｒ６、Ｒ７及びＲ８はＨを表す、請求項６に記載の固形アニオン交換ポリマー電解質。
【請求項９】
Ｒ９、Ｒ１０、Ｒ１１、Ｒ１２又はＲ１３はＣＨ３を表す、請求項６に記載の固形アニオン交換ポリマー電解質。
【請求項１０】
下記構造：
【化９】
2013504681.tif 000009
｛式中、
ｉ）ｎ及びｍは１ないし５０であり、及びｐは１ないし１０であり；
ｉｉ）Ａは、構造Ｏ、Ｓ、ＳＯ２、−ＮＨ−、−Ｎ（ＣＨ２）ｎ（式中、ｎは１ないし１０である）、
【化１０】
2013504681.tif 000010
（式中、Ｒ５、Ｒ６、Ｒ７及びＲ８は、それぞれ独立して、−Ｈ、−ＮＨ２、Ｆ、Ｃｌ、Ｂｒ、ＣＮ、又は炭素原子数１ないし６のアルキル基、又はそれらのいずれの組み合わせをも表す）を有するスペーサーを表し；
ｉｉｉ）Ｇは、下記構造：
【化１１】
2013504681.tif 000011
〔式中、Ｒ９、Ｒ１０、Ｒ１１、Ｒ１２、又はＲ１３は、それぞれ独立して、−Ｈ、−ＣＨ３、−ＮＨ２、−ＮＯ、ＨＣ＝Ｏ−、ＣＨ３Ｃ＝Ｏ−、ＮＨ２Ｃ＝Ｏ−、−（ＣＨ２）ｎ−Ｃ（ＮＨ２）−ＣＯＯＨ（式中、ｎは１ないし６である）、−ＣＨ−（ＣＯＯＨ）−ＣＨ２−ＣＯＯＨ、−ＣＨ２−ＣＨ（Ｏ−ＣＨ２ＣＨ３）２、−（Ｃ＝Ｓ）−ＮＨ２、−（Ｃ＝ＮＨ）−Ｎ−（ＣＨ２）ｎＣＨ３（式中、ｎは０ないし６である）、−ＮＨ−（Ｃ＝Ｓ）−ＳＨ、−ＣＨ２−（Ｃ＝Ｏ）−Ｏ−Ｃ（ＣＨ３）３、−Ｏ−（ＣＨ２）ｎ−ＣＨ−（ＮＨ２）−ＣＯＯＨ（式中、ｎは１ないし６である）、−（ＣＨ２）ｎ−ＣＨ＝ＣＨ（式中、ｎは１ないし６である）、−（ＣＨ２）ｎ−ＣＨ−ＣＮ（式中、ｎは１ないし６である）、芳香族基、例えば、フェニル基、ベンジル基、フェノキシ基、メチルベンジル基、窒素原子で置換されたベンジル基若しくはフェニル基、ハライド、若しくはハライドで置換されたメチル基を表す〕を有する｝
を有するポリマー核を有する、固形アニオン交換ポリマー電解質。
【請求項１１】
Ｒ５、Ｒ６、Ｒ７及びＲ８はＨを表す、請求項１０に記載の固形アニオン交換ポリマー電解質。
【請求項１２】
Ｒ９、Ｒ１０、Ｒ１１、Ｒ１２、及びＲ１３はＣＨ３を表す、請求項１０に記載の固形アニオン交換ポリマー電解質。
【請求項１３】
ポリマー核を含有する組成物であって、
前記ポリマー核は、適する溶媒中に均質分散され、且つ、下記構造：
【化１２】
2013504681.tif 000012
〔式中、
ｉ）Ａは、構造Ｏ、Ｓ、ＳＯ２、−ＮＨ−、−Ｎ（ＣＨ２）ｎ（式中、ｎは１ないし１０である）、
【化１３】
2013504681.tif 000013
（式中、Ｒ５、Ｒ６、Ｒ７及びＲ８は、それぞれ独立して、−Ｈ、−ＮＨ２、Ｆ、Ｃｌ、Ｂｒ、ＣＮ、又は炭素原子数１ないし６のアルキル基、又はそれらのいずれの組み合わせをも表す）を有するスペーサーを表し；
ｉｉ）Ｒ９、Ｒ１０、Ｒ１１、Ｒ１２、又はＲ１３は、それぞれ独立して、−Ｈ、−ＣＨ３、−ＮＨ２、−ＮＯ、アリル基、ＨＣ＝Ｏ−、ＣＨ３Ｃ＝Ｏ−、ＮＨ２Ｃ＝Ｏ−、−（ＣＨ２）ｎ−Ｃ（ＮＨ２）−ＣＯＯＨ（式中、ｎは１ないし６である）、−ＣＨ−（ＣＯＯＨ）−ＣＨ２−ＣＯＯＨ、−ＣＨ２−ＣＨ（Ｏ−ＣＨ２ＣＨ３）２、−（Ｃ＝Ｓ）−ＮＨ２、−（Ｃ＝ＮＨ）−Ｎ−（ＣＨ２）ｎＣＨ３（式中、ｎは０ないし６である）、−ＮＨ−（Ｃ＝Ｓ）−ＳＨ、−ＣＨ２−（Ｃ＝Ｏ）−Ｏ−Ｃ（ＣＨ３）３、−Ｏ−（ＣＨ２）ｎ−ＣＨ−（ＮＨ２）−ＣＯＯＨ（式中、ｎは１ないし６である）、−（ＣＨ２）ｎ−ＣＨ＝ＣＨ（式中、ｎは１ないし６である）、−（ＣＨ２）ｎ−ＣＨ−ＣＮ（式中、ｎは１ないし６である）、芳香族基、例えば、フェニル基、ベンジル基、フェノキシ基、メチルベンジル基、窒素原子で置換されたベンジル基若しくはフェニル基、ハライド、若しくはハライドで置換されたメチル基を表す〕を有し；及び
ｉｉｉ）前記組成物は、膜電極一体構造用に適する、
組成物。
【請求項１４】
Ａは
【化１４】
2013504681.tif 000014
を表す、請求項１３に記載の組成物。
【請求項１５】
Ｒ９、Ｒ１０、Ｒ１１、Ｒ１２、及びＲ１３がＣＨ３を表す、請求項１３に記載の組成物。
【請求項１６】
溶媒は非プロトン性溶媒である、請求項１３に記載の組成物。
【請求項１７】
非プロトン性溶媒は、ジメチルホルムアミド、ジメチルアセトアミド、Ｎ−メチルピロリドン、ジメチルスルホキシド、及びそれらの組み合わせから成る群より選択される、請求項１６に記載の組成物。
【請求項１８】
溶媒はアルコールである、請求項１３に記載の組成物。
【請求項１９】
アルコールは、エタノール、ｎ−プロパノール、イソプロパノール、ｎ−ブタノール、第二ブタノール、イソブタノール、第三ブタノール、エチレングリコール、プロピレングリコール、１，２−ブタンジオール、１，３−ブタンジオール、２，３−ブタンジオール、１，４−ブタンジオール、１，５−ペンタンジオール、プロパン−１，２，３−トリオール、１，２，４−ブタントリオール、及びそれらの組み合わせから成る群より選択される、請求項１８に記載の組成物。
【請求項２０】
組成物は、触媒をさらに含有する、請求項１３に記載の組成物。
【請求項２１】
Ｒ９、Ｒ１０、Ｒ１１、Ｒ１２、又はＲ１３の前記芳香族環は、各々独立して、フェニル基、ベンジル基、フェノキシ基、メチルベンジル基、又は窒素原子で置換されたベンジル基である、請求項１３に記載の組成物。